(57)【要約】【課題】貯蔵建屋の増設、及び既設及び増設の各貯蔵建屋における、放射性物質を収納した貯蔵容器の搬入及び搬出を容易に行える放射性物質貯蔵施設の増設方法を提供する。【解決手段】放射性物質貯蔵施設１Ａは四方のうちの三方が山に囲まれて一方のみがひらけている細長い敷地に建てられた放射性物質貯蔵施設１Ａは貯蔵建屋２及び２０を有する。貯蔵建屋２は細長い敷地の最も奥まった場所に建てられている。貯蔵建屋２０は、増設された貯蔵建屋であり、貯蔵建屋２の長手方向において敷地の開かれた側で貯蔵建屋２に隣接して増設される。貯蔵建屋２及び２０は貯蔵エリア３，３Ａ及び放射性物質受入れエリア９，９Ａを有する。放射性物質貯蔵施設１Ａが完成した後、貯蔵容器１７は貯蔵建屋２０の搬入出エリア１０Ａに搬入され、貯蔵建屋２０Ａ内の容器保管エリア４及び貯蔵建屋２内の搬入出エリア１０に貯蔵される。【選択図】図５
2014102228.tif 000002
【特許請求の範囲】
【請求項１】
放射性物質貯蔵施設の、第１監視室及び第１搬入出エリアを含む第１放射性物質受入れエリア、及び第１放射性物質貯蔵エリアを内部に形成し、前記第１放射性物質受入れエリアに連通する第１給気口及び第１排気口を形成し、且つ前記第１放射性物質受入れエリアに連通する第２給気口及び第２排気口を形成している第１貯蔵建屋が、四方のうち三方が前記放射性物質貯蔵施設を建てる敷地よりも標高が高い土地に取り囲まれて一方がひらけている前記敷地に建てられており、
第２監視室及び第２搬入出エリアを含む第２放射性物質受入れエリア、及び第２放射性物質貯蔵エリアを内部に形成し、前記第２放射性物質受入れエリアに連通する第３給気口及び第３排気口を形成し、且つ前記第２放射性物質受入れエリアに連通する第４給気口及び第４排気口を形成している第２貯蔵建屋を、前記敷地内において前記第１貯蔵建屋よりも前記ひらけている一方の側で、前記第１貯蔵建屋に隣接して増設し、
前記第１貯蔵建屋内で前記第１放射性物質受入れエリアが前記第１放射性物質貯蔵エリアよりも前記ひらけている一方の側に配置されており、前記第２貯蔵建屋内において前記第２放射性物質受入れエリアを前記第２放射性物質貯蔵エリアよりも前記ひらけている一方の側に形成することを特徴とする放射性物質貯蔵施設の増設方法。
【請求項２】
前記第２貯蔵建屋が、前記ひらけている一方の側に存在する、前記第１貯蔵建屋の一つの側壁に接触して増設される請求項１に記載の放射性物質貯蔵施設の増設方法。
【請求項３】
前記第２貯蔵建屋が、前記ひらけている一方の側において、前記第１貯蔵建屋から離れて増設され、前記第１貯蔵建屋と前記第２貯蔵建屋に接続されて前記第１貯蔵建屋内の前記第１放射性物質受入れエリアと前記第２貯蔵建屋内の前記第２放射性物質貯蔵エリアを連絡する連絡通路を作る請求項１に記載の放射性物質貯蔵施設の増設方法。
【請求項４】
前記第１貯蔵建屋内の第１床面の高さ方向の位置と前記第２貯蔵建屋内の第２床面の高さ方向の位置が異なっているとき、前記第２貯蔵建屋を増設するときに前記第１貯蔵建屋の前記第１放射性物質受入れエリアに昇降装置を据え付ける請求項１に記載の放射性物質貯蔵施設の増設方法。
【請求項５】
前記第１貯蔵建屋内の第１床面の高さ方向の位置が前記第２貯蔵建屋内の第２床面の高さ方向の位置よりも高くなっているとき、前記第２貯蔵建屋を増設するときに前記第１貯蔵建屋の前記第１放射性物質受入れエリアに、上面が前記第２床面の高さ方向の位置と同じ位置に存在するステージ部を形成する請求項１に記載の放射性物質貯蔵施設の増設方法。
【請求項６】
前記第１貯蔵建屋内の第１床面の高さ方向の位置が前記第２貯蔵建屋内の第２床面の高さ方向の位置よりも低くなっているとき、前記第２貯蔵建屋を増設するときに前記第１貯蔵建屋の前記第１放射性物質受入れエリアに、底面が前記第２床面の高さ方向の位置と同じ位置に存在する窪み部を形成する請求項１に記載の放射性物質貯蔵施設の増設方法。
【請求項７】
前記第２貯蔵建屋を増設するとき、前記第２放射性物質受入れエリアに面して配置される開閉扉を、前記第２貯蔵建屋の長手方向に伸びる側壁に取り付ける請求項１に記載の放射性物質貯蔵施設の増設方法。
【請求項８】
前記第２貯蔵建屋を増設するとき、前記第２放射性物質受入れエリアに面して配置される開閉扉を、前記ひらけている一方の側に存在する、前記第２貯蔵建屋の側壁に取り付ける請求項１に記載の放射性物質貯蔵施設の増設方法。
【請求項９】
放射性物質を収納した貯蔵容器を、請求項１ないし７のいずれかに記載の前記放射性物質貯蔵施設の前記第２貯蔵建屋内の前記第２搬入出エリアに搬入し、
前記第２搬入出エリアに搬入された前記貯蔵容器を前記第２放射性物質貯蔵エリアに貯蔵し、前記第２搬入出エリアに搬入された他の前記貯蔵容器を前記第１搬入出エリアに貯蔵することを特徴とする放射性物質の貯蔵方法。
【請求項１０】
放射性物質を収納した貯蔵容器を、前記敷地内で前記第２貯蔵建屋の外部において、前記貯蔵容器を搬送してきたトレーラから貯蔵容器搬送装置に載せ、
貯蔵容器を載せた貯蔵容器搬送装置を、前記開閉扉を開けて請求項８に記載の前記放射性物質貯蔵施設の前記第２貯蔵建屋内の前記第２搬入出エリアに搬入し、
前記第２搬入出エリアに搬入された前記貯蔵容器を前記第２放射性物質貯蔵エリアに貯蔵し、前記第２搬入出エリアに搬入された他の前記貯蔵容器を前記第１搬入出エリアに貯蔵することを特徴とする放射性物質の貯蔵方法。
【発明の詳細な説明】
【技術分野】
【０００１】
本発明は、放射性物質貯蔵施設の増設方法及び放射性物質の貯蔵方法に係り、特に、原子力プラントで発生する放射性物質、例えば、使用済燃料集合体を貯蔵に適用するのに好適な放射性物質貯蔵施設、放射性物質貯蔵施設の増設方法及び放射性物質の貯蔵方法に関する。
【背景技術】
【０００２】
原子力プラントから発生する使用済燃料集合体は、核燃料再処理施設において再処理され、核燃料物質が再利用のために回収される。使用済燃料集合体は、再処理されるまでの間、発生し続ける崩壊熱を除熱しながら貯蔵しておく必要がある。将来、原子力発電所内に設置された燃料貯蔵プールの貯蔵容量を超える使用済燃料集合体が発生することから、長期間に亘って安定的に冷却しながら使用済燃料集合体を貯蔵できる乾式貯蔵施設の建設が望まれている。
【０００３】
通常、乾式貯蔵施設では、使用済燃料集合体（放射性物質）を収納した貯蔵容器（例えば、金属キャスク）を貯蔵建屋内の貯蔵エリアに並べ、貯蔵建屋外から給気口を通して貯蔵建屋外から取り込んだ冷却空気を貯蔵エリア内に配置された貯蔵容器の外面に沿って流し、貯蔵容器内の使用済燃料集合体において発生した崩壊熱を除去している。貯蔵建屋内には、貯蔵エリア以外に、放射性物質を収納した貯蔵容器の搬入または搬出を行う搬入出エリアが形成されている。トレーラで搬入された貯蔵容器は、貯蔵建屋内における検査で問題なければ貯蔵建屋内に設置されたクレーンによりエアパレットなどの搬送設備に載せられ、貯蔵エリアへ搬送されて貯蔵エリア内の決められた位置に貯蔵される。
【０００４】
再処理施設の稼働が遅れているため、再処理されるまで使用済燃料集合体を貯蔵しておく貯蔵施設がますます必要となっている。将来の増設を考慮し、貯蔵エリアを内部に形成して並べて配置した複数の貯蔵建屋を、互いに、搬送通路で連絡した放射性物質貯蔵施設が、特開２００４−１５１０５０号公報に記載されている。この放射性物質貯蔵施設は、キャニスタを収納する複数の収納管を設けた貯蔵建屋Ａ及び金属キャスクを貯蔵する貯蔵建屋Ｂを有し、一つの貯蔵建屋Ａ内に形成された搬入出エリアを、貯蔵建屋Ａ及びＢで共有している。
【先行技術文献】
【特許文献】
【０００５】
【特許文献１】特開２００４−１５１０５０号公報
【発明の概要】
【発明が解決しようとする課題】
【０００６】
できるだけ広い貯蔵エリアを確保したいという電力会社の要望がある一方、原子力発電所の立地条件によっては、放射性物質貯蔵施設の建設用地が狭く限られていることがある。例えば、三方が丘陵または高い山で囲まれた細長い敷地に、放射性物質貯蔵施設を建設する場合があり、原子力発電所内の原子力プラントから発生する使用済燃料集合体の発生量に対応して、放射性物質貯蔵施設において貯蔵建屋を増設する必要性に迫られる場合がある。
【０００７】
放射性物質貯蔵施設の一つ目の貯蔵建屋を三方が山等に囲まれて一方のみが開けている細長い敷地内に建設し、この貯蔵建屋内に使用済燃料集合体を収納した貯蔵容器の搬入が行われる。やがて、その貯蔵建屋内の貯蔵エリアに貯蔵する貯蔵容器の基数が増えて貯蔵エリアが手狭になった場合には、新たな貯蔵建屋を増設する必要がある。この増設する貯蔵建屋の建設が容易に行え、それぞれの貯蔵建屋内の貯蔵エリアへの貯蔵容器の搬入が容易に行えることが望まれる。
【０００８】
特開２００４−１５１０５０号公報は、三方が丘陵または高い山で囲まれた細長い敷地での放射性物質貯蔵施設の貯蔵建屋の増設について何ら説明がなされていない。
【０００９】
本発明の目的は、貯蔵建屋の増設、及び既設及び増設の各貯蔵建屋における、放射性物質を収納した貯蔵容器の搬入及び搬出を容易に行うことができる放射性物質貯蔵施設の増設方法及び放射性物質の貯蔵方法を提供することにある。
【課題を解決するための手段】
【００１０】
上記した目的を達成する本発明の特徴は、放射性物質貯蔵施設の、第１監視室及び第１搬入出エリアを含む第１放射性物質受入れエリア、及び第１放射性物質貯蔵エリアを内部に形成し、第１放射性物質受入れエリアに連通する第１給気口及び第１排気口を形成し、且つ第１放射性物質受入れエリアに連通する第２給気口及び第２排気口を形成している第１貯蔵建屋が、四方のうち三方がその放射性物質貯蔵施設を建てる敷地よりも標高が高い土地に取り囲まれて一方がひらけているその敷地に建てられており、
第２監視室及び第２搬入出エリアを含む第２放射性物質受入れエリア、及び第２放射性物質貯蔵エリアを内部に形成し、第２放射性物質受入れエリアに連通する第３給気口及び第３排気口を形成し、且つ第２放射性物質受入れエリアに連通する第４給気口及び第４排気口を形成している第２貯蔵建屋を、その敷地内において第１貯蔵建屋よりもそのひらけている一方の側で、第１貯蔵建屋に隣接して増設し、
第１貯蔵建屋内で第１放射性物質受入れエリアが第１放射性物質貯蔵エリアよりもそのひらけている一方の側に配置されており、第２貯蔵建屋内において第２放射性物質受入れエリアを第２放射性物質貯蔵エリアよりもそのひらけている一方の側に形成することにある。
【００１１】
第２貯蔵建屋を、その敷地内において第１貯蔵建屋よりもそのひらけている一方の側で、既に建てられている第１貯蔵建屋に隣接して増設するので、第２貯蔵建屋の増設を容易に行うことができる。また、第２貯蔵建屋内において第２放射性物質受入れエリアを第２放射性物質貯蔵エリアよりもそのひらけている一方の側に形成するので、第１貯蔵建屋（既設の貯蔵建屋）及び第２貯蔵建屋（増設の貯蔵建屋）における、放射性物質を収納した貯蔵容器の搬入及び搬出を容易に行うことができる。
【発明の効果】
【００１２】
本発明によれば、放射性物質貯蔵施設における貯蔵建屋の増設、及び既設及び増設の各貯蔵建屋における、放射性物質を収納した貯蔵容器の搬入及び搬出を容易に行うことができる。
【図面の簡単な説明】
【００１３】
【図１】増設前の放射性物質貯蔵施設の横断面図である。
【図２】図１のII−II断面図である。
【図３】図１のIII−III断面図である。
【図４】図１に示す放射性物質貯蔵施設が建設された、三方が山で取り囲まれている細長い敷地を示す説明図である。
【図５】本発明の好適な一実施例である実施例１の放射性物質貯蔵施設の増設方法で増設された放射性物質貯蔵施設の横断面図である。
【図６】図５のVI−VI断面図である。
【図７】本発明の他の好適な実施例である実施例２の放射性物質貯蔵施設の増設方法で増設された放射性物質貯蔵施設の横断面図である。
【図８】本発明の他の好適な実施例である実施例３の放射性物質貯蔵施設の増設方法で増設された放射性物質貯蔵施設の横断面図である。
【図９】本発明の他の好適な実施例である実施例４の放射性物質貯蔵施設の増設方法で増設された放射性物質貯蔵施設の横断面図である。
【図１０】図９のＸ−Ｘ断面図である。
【図１１】図１に示す放射性物質貯蔵施設とは異なる構成を有する、増設前の放射性物質貯蔵施設の横断面図である。
【図１２】図１１のＹ−Ｙ断面図である。
【図１３】本発明の他の好適な実施例である実施例５の、図１１に示された放射性物質貯蔵施設の増設方法で増設された放射性物質貯蔵施設の横断面図である。
【図１４】図１３のＺ−Ｚ断面図である。
【図１５】本発明の他の好適な実施例である実施例６の放射性物質貯蔵施設の増設方法で増設された放射性物質貯蔵施設の横断面図である。
【発明を実施するための形態】
【００１４】
本発明の実施例を以下に説明する。
【実施例１】
【００１５】
本発明の好適な一実施例である実施例１の放射性物質貯蔵施設の増設方法を、図４及び図５を用いて説明する。
【００１６】
まず、増設の対象となる放射性物質貯蔵施設の増設前の構造を、図１、図２及び図３を用いて説明する。増設前の放射性物質貯蔵施設１は、四方のうちの三方が山（または丘陵）２４に囲まれた細長い敷地２３の最も奥まったところに建てられている（図４参照）。山２４は放射性物質貯蔵施設１が建てられる敷地２３よりも標高が高い土地である。その敷地２３は、山２４に囲まれた三方を除いた、四方のうちの一方のみがひらけており、この一方が開放部３２となっている。このような敷地２３に建てられた放射性物質貯蔵施設１は、貯蔵建屋２（第１貯蔵建屋）を有し、貯蔵建屋２内に貯蔵エリア（放射性物質貯蔵エリア）３及び放射性物質受入れエリア９を形成している。放射性物質受入れエリア９は貯蔵建屋２の長手方向において貯蔵エリア３よりも敷地２３の開放部３２側に配置される。
【００１７】
貯蔵エリア３内には、複数の容器保管エリア４が貯蔵建屋２の長手方向に並んで配置されている。容器搬送通路６が貯蔵建屋２の長手方向に伸びて互いに対向している、貯蔵建屋２の側壁の間に形成されている。容器搬送通路６は、貯蔵建屋２の長手方向で放射性物質受入れエリア９まで伸びている。各容器保管エリア４は、容器搬送通路６の両側に配置され、貯蔵建屋２の長手方向に伸びて互いに対向している、貯蔵建屋２の各側壁と容器搬送通路６のそれぞれの間に配置される。仕切り壁５Ａが貯蔵建屋２の長手方向において容器保管エリア４の相互間に配置される。各仕切り壁５Ａは、貯蔵建屋２の長手方向に伸びて互いに対向している、貯蔵建屋２の各側壁から容器搬送通路６に向かって伸びている。
【００１８】
放射性物質貯蔵施設１外の空気を冷却空気として取り込む給気口７が容器搬送通路６の両側に位置する各容器保管エリア４に面する、貯蔵建屋２のそれぞれの側壁に形成される（図２参照）。冷却空気を排出する排気筒８が容器搬送通路６の真上で貯蔵建屋２の天井に設けられ、排気筒８には排気口８Ａが形成される（図２参照）。給気口７は容器搬送通路６を間に挟んで向かい合っている容器保管エリア４ごとに形成され、排気筒８はその向かい合っている容器保管エリア４の対ごとに１つ形成される。
【００１９】
一対の仕切り壁５Ｂが、貯蔵建屋２の長手方向に伸びて互いに対向している、貯蔵建屋２の各側壁から容器搬送通路６に向かって伸びている。これらの仕切り壁５Ｂが貯蔵エリア３と放射性物質受入れエリア９を仕切っている。放射性物質受入エリア９には、搬入出エリア１０及び監視室１１が形成されている。搬入出エリア１０は、仕切り壁５Ｂに沿って配置される。この搬入出エリア１０は、トレーラ１８が出入りするエリアであり、放射性物質である使用済燃料集合体を収納した貯蔵容器１７、例えば金属キャスクの貯蔵建屋２内への搬入または搬出が行われるエリアである。このため、搬入出エリア１０に面している開閉扉１３が貯蔵建屋２の長手方向に伸びている側壁に設けられる。貯蔵建屋２内での作業員の出入り、気温及び貯蔵容器圧力の監視を行う監視室１１内に設置される。
【００２０】
貯蔵建屋２内で放射性物質受入れエリア９には天井クレーン１４が設置されている。また、放射性物質受入れエリア９には、貯蔵容器搬送車１９を待機させる待機エリアが形成される。放射性物質受入れエリア９において、外部の空気を冷却空気として取り込む給気口１５が、貯蔵建屋２の長手方向に伸びている一つの側壁に形成される（図３参照）。冷却空気の排気口１６がこの側壁と対向する他の側壁の天井付近に形成される。
【００２１】
また、貯蔵建屋２の開放部３２側の側壁には、他の開閉扉１２が設けられている。この開閉扉１２は、将来、貯蔵建屋を敷地２３内で開放部３２側に増設した際、この増設した貯蔵建屋と既設の貯蔵建屋２を行き来するために使用される。
【００２２】
原子力発電所内の原子力プラントの燃料貯蔵プール内で所定期間保管された複数の使用済燃料集合体は、貯蔵容器１７、例えば金属キャスク内に収納され、トレーラ１８に積載される。この貯蔵容器１７を積載したトレーラ１８が、原子炉発電所内の道路２１を通ってさらに敷地２３内に設けられた道路２２を通って、開いている開閉扉１３から搬入出エリア１０に達する。トレーラ１８に横にして積載された貯蔵容器１７は、天井クレーン１４を用いてトレーラ１８上から床に降ろされ、検査終了後に貯蔵容器搬送車１９で搬送される。このため、放射性物質受入れエリア９における貯蔵建屋２の天井が高くなり、排気筒８が設けられない。貯蔵容器１７の検査を行って異常が発見されなかった貯蔵容器１７は、貯蔵容器搬送車１９により容器搬送通路６を通って、貯蔵される容器保管エリア４まで移送される。そして、貯蔵容器１７はこの容器保管エリア４内の決められた位置に貯蔵される。
【００２３】
貯蔵エリア３に貯蔵されている貯蔵容器１７の冷却は、以下のように行われる。放射性物質貯蔵施設１の外部の空気が、冷却空気として、各給気口７を通ってそれぞれの容器保管エリア４内に流入する。この冷却空気は、容器保管エリア４内に貯蔵されている貯蔵容器１７の相互間を流れ、内部の使用済燃料集合体内の核燃料物質の崩壊熱で加熱されている各貯蔵容器１７を冷却する。貯蔵容器１７の冷却によって加熱された冷却空気は、他の貯蔵容器１７を冷却しながら容器保管エリア４内を流れ、やがて、排気筒８内に流入する。この冷却空気は排出口８Ａから放射性物質貯蔵施設１の外に放出される。
【００２４】
容器保管エリア４内に貯蔵されている貯蔵容器１７を貯蔵建屋２外に搬出する際は、貯蔵容器１７を搬入する場合と逆の経路で搬入出エリア１０まで搬送され、トレーラ１８に積載されて貯蔵建屋２外へ搬送される。
【００２５】
貯蔵建屋２内の各容器保管エリア４が貯蔵された貯蔵容器１７で満杯になる前に、放射性物質貯蔵施設１で貯蔵建屋２０（第２貯蔵建屋）の増設が行われる。貯蔵建屋２０の増設は、敷地２３内において既設の貯蔵建屋２よりも敷地２３の開放部３２側で、貯蔵建屋２に隣接して行われる（図４参照）。既設の貯蔵建屋２の上記開放部３２側の側壁では、予め貯蔵建屋２０の増設を見込んで、貯蔵建屋２０と結合する複数の部分において鉄筋が剥き出しにされている。剥き出しにされた各鉄筋は、増設される貯蔵建屋２０の打設されたコンクリートに埋設される。この結果、増設された貯蔵建屋２０は既設の貯蔵建屋２と一体化される。
【００２６】
増設される貯蔵建屋２０は、図５に示すように、既設の貯蔵建屋２の貯蔵エリア３及び放射性物質受入れエリア９と同じ構成を有する貯蔵エリア３Ａ及び放射性物質受入れエリア９Ａを内部に形成する。貯蔵建屋２の開放部３２側の側壁が、貯蔵建屋２０の貯蔵建屋２側の側壁として用いられる。貯蔵建屋２０では、床面、貯蔵建屋２０の長手方向に伸びる対向する側壁、天井、天井に設けられた排気筒８、貯蔵エリア３Ａ内の仕切り壁５Ａ、貯蔵エリア３Ａ及び放射性物質受入れエリア９Ａを仕切る仕切り壁５Ｂ及び監視室１１Ａが所定の順番で作られていく。
【００２７】
貯蔵建屋２０の増設が終了したとき、既設の貯蔵建屋２及び増設の貯蔵建屋２０を備えた新しい放射性物質貯蔵施設１Ａが完成する。増設された貯蔵建屋２０の構成を概略説明する。貯蔵建屋２０内では、貯蔵エリア３Ａが放射性物質受入れエリア９Ａよりも貯蔵建屋２側に配置されている。貯蔵建屋２０内の貯蔵エリア３Ａには、貯蔵建屋２内の容器搬送通路６の延長線上に容器搬送通路６Ａが形成され、容器搬送通路６Ａの両側に複数の仕切り壁５Ａで仕切られた複数の容器保管エリア４が貯蔵建屋２０の長手方向に並んで配置される。容器搬送通路６Ａは、開閉扉１２を開くことによって、貯蔵建屋２内の放射性物質受入れエリア９に連絡され、さらに、容器搬送通路６に連絡される。貯蔵建屋２と同様に、各容器保管エリア４にそれぞれ連通する複数の給気口７が、貯蔵建屋２０の長手方向に伸びる各側壁に形成される。貯蔵建屋２０の天井にも排気口８Ａが形成された排気筒８が設けられる。
【００２８】
貯蔵建屋２０内の放射性物質受入れエリア９Ａも、貯蔵建屋２と同様に、搬入出エリア１０Ａ及び監視室１１Ａを有している。開閉扉１３Ａが、搬入出エリア１０Ａに面して、貯蔵建屋２０の長手方向に伸びる側壁に設けられる。また、開閉扉１２Ａが、貯蔵建屋２０の開放部３２側の側壁に設けられる。放射性物質受入れエリア９Ａに連通する給気口１５が、貯蔵建屋２０の長手方向に伸びる各側壁に形成される。排気口１６がこの側壁に対向する他の側壁の天井付近に形成される。天井クレーン１４Ａが放射性物質受入れエリア９Ａ内で貯蔵建屋２０に設置されている。
【００２９】
貯蔵建屋２０の増設中において燃料貯蔵プール内の使用済燃料集合体を収納した貯蔵容器１７は、トレーラ１８に積載され、道路２２を通って貯蔵建屋２の搬入出エリア１０まで搬送される。貯蔵容器１７は、前述したように、容器保管エリア４に移送されて保管される。このように、本実施例は貯蔵建屋２０の増設中であっても貯蔵建屋２内に貯蔵容器１７を搬入することができる。
【００３０】
貯蔵建屋２０が増設されて放射性物質貯蔵施設１Ａが完成された後では、使用済燃料集合体を収納した貯蔵容器１７は、トレーラ１８に積載され、開いている開閉扉１３Ａから搬入出エリア１０Ａに搬入される。トレーラ１８に積載された貯蔵容器１７は、天井クレーン１４Ａを用いてトレーラ１８から床に降ろされる。検査が終了した貯蔵容器１７が、貯蔵容器搬送車１９により容器搬送通路６Ａを通って、貯蔵建屋２０内の貯蔵される容器保管エリア４まで移送される。そして、貯蔵容器１７はこの容器保管エリア４内の決められた位置に貯蔵される。また、搬入出エリア１０Ａに搬入された別の貯蔵容器１７は、貯蔵容器搬送車１９により、容器搬送通路６Ａを通り、さらに開放された開閉扉１２を通って貯蔵建屋２の放射性物質受入れエリア９まで搬送される。この貯蔵容器１７は放射性物質受入れエリア９内に貯蔵される（図５及び図６参照）。さらに、搬入出エリア１０Ａに搬入された貯蔵容器１７の一部は、貯蔵容器搬送車１９により、貯蔵建屋２の放射性物質受入れエリア９を経て容器搬送通路６に達し、貯蔵建屋２内の容器保管エリア４の空いている部分に貯蔵される。貯蔵建屋２内の、監視室１１以外の放射性物質受入れエリア９は、貯蔵建屋２０の増設後は貯蔵容器１７の貯蔵エリア、及び貯蔵建屋２０と貯蔵建屋２内の貯蔵エリア３の間で貯蔵容器１７を相互に搬送できる搬送通路としての役割を果たす。なお、貯蔵建屋２に設けられた開閉扉１３は放射線遮へいのために閉じられる。
【００３１】
貯蔵建屋２内の放射性物質受入れエリア９に貯蔵された各貯蔵容器１７は、給気口１５から取り入れられた、放射性物質貯蔵施設１Ａ外部の空気により冷却される。この冷却空気は、貯蔵容器１７の冷却により温度が上昇し、排気口１６から外部に放出される（図６参照）。
【００３２】
貯蔵建屋２内の監視室１１はそのまま残され、貯蔵建屋２内での監視が監視室１１より行われる。
【００３３】
本実施例によれば、放射性物質貯蔵施設１Ａが建てられる敷地２３よりも標高が高い土地（例えば、山２４）に三方が取り囲まれた細長い敷地２３においても、既設の貯蔵建屋２よりも敷地２３のひらけた開放部３２側に貯蔵建屋２０を増設するので、貯蔵建屋２０を建設する敷地２３よりも開放部３２側で道路２２の間の敷地２３を資材置き場、及び建設機械の置き場及び走行通路に使用することができる。このため、増設する貯蔵建屋２０の建設を容易に行うことができる。また、工事スペースを広く使えるので、工事用クレーンのビーム先が貯蔵建屋２の敷地上を通る心配もない。貯蔵容器１７を積載したトレーラ１８が貯蔵建屋２０の建設中に道路２２を走行することが可能であるため、貯蔵容器１７の貯蔵建屋２への搬入（または貯蔵建屋２からの搬出）を貯蔵建屋２０を建設しながら行うことができる。
【００３４】
貯蔵建屋２０の増設が完了した後では、トレーラ１８が貯蔵建屋２０内の搬入出エリア１０Ａに入ることができるので、貯蔵建屋２０の開放部３２側に形成された搬入出エリア１０Ａを利用して貯蔵建屋２及び２０のそれぞれの容器保管エリア４への貯蔵容器１７の搬入及びそれぞれの容器保管エリア４からの貯蔵容器１７の搬出を行うことができる。貯蔵建屋２０内の搬入出エリア１０Ａは、貯蔵建屋２及び２０への貯蔵容器１７の搬入及び貯蔵建屋２及び２０からの貯蔵容器１７の搬出に共用することができる。
【００３５】
本実施例では、既設の貯蔵建屋２の放射性物質受入れエリア９に面する対向する各側壁のうちの１つに給気口１５を形成し、残りの側壁に排気口１６を形成しているので、貯蔵建屋２０が増設された後において、使用済燃料集合体を収納した貯蔵容器１７を貯蔵建屋２の放射性物質受入れエリア９に貯蔵することができる。このため、貯蔵建屋２０の増設後における貯蔵建屋２で貯蔵される貯蔵容器１７の基数を増大させることができる。
【００３６】
細長い敷地２３内で貯蔵建屋２０の開放部３２側に隣接してさらに新たな貯蔵建屋を増設する場合には、貯蔵建屋２０と同様に増設することができる。
【実施例２】
【００３７】
本発明の他の好適な実施例である実施例２の放射性物質貯蔵施設の増設方法を、図７を用いて説明する。
【００３８】
本実施例の放射性物質貯蔵施設の増設方法においても、実施例１と同様に、四方のうち三方が山２４に囲まれて一方のみがひらけている細長い敷地２３において、貯蔵建屋２０が、敷地２３内において、貯蔵建屋２よりもひらけた開放部３２側に既設の貯蔵建屋２に隣接して増設される。貯蔵建屋２０は、実施例１と異なり、既設の貯蔵建屋２から離れて建設される。増設される貯蔵建屋２０は、貯蔵建屋２と連絡通路２５を介して互いに連絡される。既設の貯蔵建屋２の上記開放部３２側の側壁では、予め貯蔵建屋２０の増設を見込んで、連絡通路２５と結合する複数の部分において鉄筋が剥き出しにされている。剥き出しにされたそれらの鉄筋は、貯蔵建屋２０の増設時において連絡通路２５を形成するために打設されたコンクリートに埋設される。この結果、増設された貯蔵建屋２０は連絡通路２５を介して既設の貯蔵建屋２と一体化される。貯蔵建屋２０と連絡通路２５の間には、開閉扉１２Ｂが設けられている。
【００３９】
貯蔵建屋２０の増設が終了したとき、既設の貯蔵建屋２、増設の貯蔵建屋２０及び連絡通路２５を備えた新しい放射性物質貯蔵施設１Ｂが完成する。放射性物質貯蔵施設１Ｂの貯蔵建屋２は放射性物質貯蔵施設１Ａの貯蔵建屋２と同じ構成を有しており、放射性物質貯蔵施設１Ｂの貯蔵建屋２０は放射性物質貯蔵施設１Ａの貯蔵建屋２０と同じ構成を有している。なお、貯蔵容器１７が貯蔵建屋２内の搬入出エリア１０に貯蔵されるとき、貯蔵容器１７を載せた貯蔵容器搬送車１９が、貯蔵建屋２０の搬入出エリア１０Ａから貯蔵建屋２０内の容器搬送通路６Ａ及び連絡通路２５を通って貯蔵建屋２内の搬入出エリア１０まで移動する。
【００４０】
本実施例は実施例１で生じる各効果を得ることができる。連絡通路２５の床、屋根、壁は、一部が遮へい効果のある高比重ゴムでできており、振動を隣に伝えない。本実施例では、増設された貯蔵建屋２０が既設の貯蔵建屋２から離れて建設され、これらの貯蔵建屋が連絡通路２５により接続されているので、地震が発生したとき、貯蔵建屋２と貯蔵建屋２０が共振することを防止することができる。
【実施例３】
【００４１】
本発明の他の好適な実施例である実施例３の放射性物質貯蔵施設の増設方法を、図８を用いて説明する。
【００４２】
本実施例の放射性物質貯蔵施設の増設方法においても、実施例１と同様に、四方のうち三方が山２４に囲まれて一方のみがひらけている細長い敷地２３において、貯蔵建屋２０が、貯蔵建屋２よりもひらけた開放部３２側で既設の貯蔵建屋２に隣接して増設される。本実施例では、増設する貯蔵建屋２０は既設の貯蔵建屋２の開放部３２側の側壁に接触して建設される。
【００４３】
増設する貯蔵建屋２０が建設される敷地２３の標高は既設の貯蔵建屋２が建てられている敷地２３の標高よりも高くなっている。三方を取り囲む山２４の標高は増設する貯蔵建屋２０が建設される敷地２３の標高よりも高い。この結果、貯蔵建屋２０を増設するとき、貯蔵建屋２０から貯蔵建屋２への貯蔵容器１７の搬送を容易に行うために、昇降機２６が、貯蔵建屋２内の放射性物質受入れエリア９において貯蔵建屋２の開放部３２側の側壁の側に据え付けられる。この昇降機２６は、貯蔵容器１７を載せた貯蔵容器搬送車１９を載せられるだけの広さを有している。
【００４４】
貯蔵建屋２０の増設が終了したとき、既設の貯蔵建屋２、増設の貯蔵建屋２０及び昇降機２６を備えた新しい放射性物質貯蔵施設１Ｃが完成する。放射性物質貯蔵施設１Ｃの貯蔵建屋２は放射性物質貯蔵施設１の貯蔵建屋２と同じ構成を有しており、放射性物質貯蔵施設１Ｃの貯蔵建屋２０は放射性物質貯蔵施設１の貯蔵建屋２０と同じ構成を有している。ただし、放射性物質貯蔵施設１Ｃにおいては、昇降機２６が貯蔵建屋２の放射性物質受入れエリア９に据え付けられている。
【００４５】
貯蔵建屋２０の搬入出エリア１０Ａに搬入された貯蔵容器１７は、貯蔵建屋２０内の容器保管エリア４、及び貯蔵建屋２内の搬入出エリア１０及び容器保管エリア４にそれぞれ貯蔵される。貯蔵建屋２０の床２９の標高が貯蔵建屋２の床２８の標高よりも高くなっているので（図１０参照）、貯蔵容器１７を載せた貯蔵容器搬送車１９が、貯蔵建屋２０内の容器搬送通路６Ａを通り、開閉扉１２が開いた状態で昇降機２６内に到達する。昇降機２６の入り口ドアが閉じて昇降機２６が下降する。昇降機２６が貯蔵建屋２の床２８の高さまで下降したとき、昇降機２６のドアが開いて昇降機２６内の貯蔵容器搬送車１９が貯蔵建屋２内の搬入出エリア１０の床２８上まで移動する。貯蔵容器搬送車１９は搬入出エリア１０内を所定の位置まで移動し、貯蔵容器搬送車１９に載せられた貯蔵容器１７が搬入出エリア１０に貯蔵される。貯蔵容器１７が貯蔵建屋２内の容器保管エリア４に貯蔵される場合にも、貯蔵容器１７を載せた貯蔵容器搬送車１９が昇降機２６により貯蔵建屋２０の床２９から貯蔵建屋２の床２８まで降ろされる。逆に貯蔵建屋２内の貯蔵容器１７を貯蔵建屋２０内に搬送するときは、貯蔵容器１７を載せた貯蔵容器搬送車１９が昇降機２６により貯蔵建屋２の床２８から貯蔵建屋２０の床２９の位置まで上昇される。
【００４６】
本実施例は実施例１で生じる各効果を得ることができる。本実施例は、昇降機２６を据え付けるので、貯蔵建屋２０の床２９の標高が貯蔵建屋２の床２８の標高よりも高くなっている場合でも、貯蔵建屋２０と貯蔵建屋２の間で貯蔵容器１７を容易に搬送することができる。
【００４７】
貯蔵建屋２０の床２９の標高が貯蔵建屋２の床２８の標高よりも低くなっている場合でも、上記したように昇降機２６を設置することによって、貯蔵建屋２０と貯蔵建屋２の間で貯蔵容器１７を容易に搬送することができる。
【実施例４】
【００４８】
本発明の他の好適な実施例である実施例４の放射性物質貯蔵施設の増設方法を、図９及び図１０を用いて説明する。
【００４９】
本実施例の放射性物質貯蔵施設の増設方法においても、実施例１と同様に、四方のうち三方が山２４に囲まれて一方のみがひらけている細長い敷地２３において、貯蔵建屋２０が、貯蔵建屋２よりもひらけた開放部３２側で既設の貯蔵建屋２に隣接して増設される。本実施例では、増設する貯蔵建屋２０は既設の貯蔵建屋２の開放部３２側の側壁に接触して建設される。
【００５０】
本実施例では、実施例３と同様に、増設する貯蔵建屋２０が建設される敷地２３の標高が既設の貯蔵建屋２が建てられている敷地２３の標高よりも高くなっている。三方を取り囲む山２４の標高は増設する貯蔵建屋２０が建設される敷地２３の標高よりも高い。本実施例では、昇降機２６の据え付けの替りに、貯蔵建屋２０を増設するとき、貯蔵建屋２内の放射性物質受入れエリア９の開閉扉１２に面する位置に、貯蔵建屋２０の床２９の上面と同じ高さのステージ部２７が作られる（図１０参照）。このステージ部２７の上面は、貯蔵容器１７を載せた貯蔵容器搬送車１９が待機できる広さを有し、貯蔵建屋２の床２８の上面よりも高くなっている。
【００５１】
貯蔵建屋２０の増設が終了したとき、既設の貯蔵建屋２、増設の貯蔵建屋２０及びステージ部２７を備えた新しい放射性物質貯蔵施設１Ｄが完成する。放射性物質貯蔵施設１Ｄの貯蔵建屋２は放射性物質貯蔵施設１の貯蔵建屋２と同じ構成を有しており、放射性物質貯蔵施設１Ｄの貯蔵建屋２０は放射性物質貯蔵施設１の貯蔵建屋２０と同じ構成を有している。ただし、放射性物質貯蔵施設１Ｄにおいては、ステージ部２７が貯蔵建屋２の放射性物質受入れエリア９に作られている。
【００５２】
貯蔵建屋２０の搬入出エリア１０Ａに搬入された貯蔵容器１７は、貯蔵建屋２０内の容器保管エリア４、及び貯蔵建屋２内の搬入出エリア１０及び容器保管エリア４にそれぞれ貯蔵される。貯蔵建屋２０の床２９の標高が貯蔵建屋２の床２８の標高よりも高くなっているので（図１０参照）、貯蔵容器１７を載せた貯蔵容器搬送車１９が、貯蔵建屋２０内の容器搬送通路６Ａを通り、開閉扉１２が開いた状態でステージ部２７の上面に到達する。貯蔵建屋２内の放射性物質受入れエリア９に設けられた天井クレーン１４により、貯蔵容器１７がステージ部２７上の貯蔵容器搬送車１９から吊り上げられ、搬入出エリア１０の床２８上に降ろされる。この貯蔵容器１７は、貯蔵容器搬送車１９Ａにより、貯蔵される位置、すなわち、搬入出エリア１０内の位置の側または貯蔵建屋２内の容器保管エリア４の側まで搬送される。貯蔵建屋２内に貯蔵されている貯蔵容器１７を貯蔵容器２０まで搬送する場合には、前述の逆の過程を経て貯蔵容器１７が搬送される。
【００５３】
本実施例は実施例３で生じる各効果を得ることができる。
【００５４】
貯蔵建屋２０の床２９の標高が貯蔵建屋２の床２８の標高よりも低くなっている場合には、上記したステージ部２７の替りに、貯蔵建屋２の放射性物質受入れエリア９にはステージ部２７と同じ位置に窪み部が形成される。この窪み部の底面は貯蔵建屋２０の床２９の上面と同じレベルに位置している。窪み部の底面の広さは、貯蔵容器１７を載せた貯蔵容器搬送車１９が待機できる広さを有している。
【００５５】
貯蔵容器１７を載せた貯蔵容器搬送車１９が、貯蔵建屋２０内の容器搬送通路６Ａから、開閉扉１２が開いた状態で貯蔵建屋２内の窪み部の底面に到達し、貯蔵容器１７を降ろす。放射性物質受入れエリア９に設けられた天井クレーン１４により、貯蔵容器１７が窪み部の底面上から吊り上げられ、搬入出エリア１０の床２８上に降ろされ、床２８上に存在する貯蔵容器搬送車１９Ａに載せられる。この貯蔵容器１７は、貯蔵容器搬送車１９Ａにより、貯蔵される位置まで搬送される。
【実施例５】
【００５６】
本発明の他の好適な実施例である実施例５の放射性物質貯蔵施設の増設方法を、図１３を用いて説明する。
【００５７】
本実施例の放射性物質貯蔵施設の増設方法では、実施例１と同様に、四方のうち三方が山２４に囲まれて一方のみがひらけている細長い敷地２３において、貯蔵建屋２０Ａ（第２貯蔵建屋）が、貯蔵建屋２Ａよりもひらけた開放部３２側で既設の貯蔵建屋２Ａ（第１貯蔵建屋）に隣接して増設される。本実施例では、増設する貯蔵建屋２０Ａは既設の貯蔵建屋２Ａの開放部３２側の側壁に接触して建設される（図１３参照）。本実施例の放射性物質貯蔵施設の増設方法で建設された放射性物質貯蔵施設１Ｆは既設の貯蔵建屋２Ａ及び増設された貯蔵建屋２０Ａを有する。
【００５８】
放射性物質貯蔵施設１Ｆに利用される既設の貯蔵建屋２Ａは、放射性物質貯蔵施設１Ｅの貯蔵建屋２Ａ（図１１参照）として、細長い敷地２３の最も奥まったところに建てられている。貯蔵建屋２Ａは、前述の貯蔵建屋２と同様に、貯蔵エリア３及び放射性物質受入れエリア９を有している。貯蔵建屋２Ａの貯蔵エリア３は、貯蔵建屋２の貯蔵エリア３と同じ構成を有する。貯蔵建屋２Ａでは、開閉扉１３が、貯蔵建屋２のように貯蔵建屋２Ａの長手方向に伸びる側壁ではなく、この側壁に直交する開口部３２側の側壁に設けられる。このように、貯蔵建屋２Ａは貯蔵建屋２と開閉扉１３の取り付け位置が異なっている。また、貯蔵建屋２Ａの放射性物質受入れエリア９は、貯蔵建屋２の放射性物質受入れエリア９と同様に、搬入出エリア１０及び監視室１１を有している。しかしながら、貯蔵建屋２ではトレーラ１８が放射性物質受入れエリア９内に形成される搬入出エリア１０内で貯蔵建屋２の長手方向と直交する方向に停められるのに対し、貯蔵建屋２Ａではトレーラ１８が搬入出エリア１０内で貯蔵建屋２Ａの長手方向に停められる。
【００５９】
また、放射性物質受入れエリア９に連通する給気口１５が、貯蔵建屋２Ａの長手方向に伸びて対向しているそれぞれの側壁に形成される。排気口８Ａが形成された排気筒８が放射性物質受入れエリア９において貯蔵建屋２Ａの天井に設けられる。放射性物質受入れエリア９には天井クレーン１４が設置されていなく、排気筒８内にモノレール（またはホイスト）３０が配置される。モノレール（またはホイスト）３０は、排気筒８を覆う排気塔屋根３３に取り付けられる。
【００６０】
使用済燃料集合体を収納した貯蔵容器１７を積載したトレーラ１８は、開いている開閉扉１３を通過して貯蔵建屋２Ａ内の搬入出エリア１０に到達し、貯蔵建屋２Ａの長手方向を向いて停車される。放射性物質受入れエリア９では貯蔵建屋２Ａの天井が低いの、トレーラ１８の上に横たわっている貯蔵容器１７は、モノレール３０を用いて縦に起こされ、縦になった状態で床に降ろされる。その後、この貯蔵容器１７は、所定の容器保管エリア４に貯蔵される。
【００６１】
本実施例の放射性物質貯蔵施設の増設方法においても、実施例１と同様に、四方のうち三方が山２４に囲まれて一方のみがひらけている細長い敷地２３において、貯蔵建屋２０Ａが、貯蔵建屋２Ａよりもひらけた開放部３２側で既設の貯蔵建屋２Ａに隣接して増設される。本実施例では、増設する貯蔵建屋２０Ａは既設の貯蔵建屋２Ａの開放部３２側の側壁に接触して建設される。
【００６２】
貯蔵建屋２０Ａの増設が終了したとき、既設の貯蔵建屋２Ａ、及び増設の貯蔵建屋２０Ａを備えた新しい放射性物質貯蔵施設１Ｆが完成する。放射性物質貯蔵施設１Ｆの貯蔵建屋２Ａは放射性物質貯蔵施設１Ｅの貯蔵建屋２Ａと同じ構成を有しており、放射性物質貯蔵施設１Ｆの貯蔵建屋２０Ａは上記した貯蔵建屋２Ａと同じ構成を有している。増設された貯蔵建屋２０Ａも、内部に、既設の貯蔵建屋２Ａと同様に、貯蔵エリア３及び放射性物質受入れエリア９Ａを有している。モノレール（またはホイスト）３０が、貯蔵建屋２Ａの放射性物質受入れエリア９と同様に、貯蔵建屋２０Ａの放射性物質受入れエリア９Ａの天井に設けられた排気筒８を覆う排気塔屋根３３に設けられる。
【００６３】
増設する貯蔵建屋２０Ａの建設中においては、トレーラ１８による貯蔵容器１７の貯蔵建屋２Ａ内の搬入出エリア１０への搬入は、貯蔵建屋２０Ａの建設工事を一時中断して行われる。貯蔵建屋２０Ａの増設が完了した後、放射性物質貯蔵施設１Ｆへの貯蔵容器１７の搬入は以下のようにして行われる。貯蔵容器１７を積載したトレーラ１８は、開放された開閉扉１３Ａを通って貯蔵建屋２０Ａの搬入出エリア１０Ａまで移動される。開閉扉１３Ａは貯蔵建屋２０Ａの開放部３２側の側壁に設けられる。
【００６４】
搬入出エリア１０Ａにおいて、トレーラ１８上の貯蔵容器１７がモノレール３０を用いて縦に起こされ、立てられた状態で床に降ろされる。貯蔵容器１７は貯蔵容器搬送車１９によって搬送され、貯蔵建屋２０Ａ内の容器保管エリア４、貯蔵建屋２Ａ内の搬入出エリア１０及び貯蔵建屋２Ａ内の容器保管エリア４のいずれかに貯蔵される。貯蔵容器１７が貯蔵建屋２Ａ内の搬入出エリア１０に貯蔵された状態が図１４に示される。
【００６５】
本実施例は実施例１で生じる各効果を得ることができる。ただし、貯蔵容器１７の貯蔵建屋２Ａへの搬入（または貯蔵建屋２Ａからの搬出）を行う際には、増設する貯蔵建屋２０Ａを建設作業を一時中断して行うので、貯蔵建屋２０Ａの増設に要する期間は、実施例１における貯蔵建屋２０の増設に要する時間よりも長くなる。
【実施例６】
【００６６】
本発明の他の好適な実施例である実施例６の放射性物質貯蔵施設の増設方法を、図１５を用いて説明する。
【００６７】
本実施例の放射性物質貯蔵施設の増設方法においても、実施例５と同様に、四方のうち三方が山２４に囲まれて一方のみがひらけている細長い敷地２３において、貯蔵建屋２０Ａが、貯蔵建屋２Ａよりもひらけた開放部３２側で既設の貯蔵建屋２Ａに隣接して増設される。本実施例では、増設する貯蔵建屋２０Ａは既設の貯蔵建屋２Ａの開放部３２側の側壁に接触して建設される。本実施例では、モノレール（またはホイスト）３０が増設する貯蔵建屋２０Ａに設置されていない。
【００６８】
貯蔵建屋２０Ａの増設が終了したとき、既設の貯蔵建屋２Ａ及び増設の貯蔵建屋２０Ａを備えた新しい放射性物質貯蔵施設１Ｇが完成する。放射性物質貯蔵施設１Ｇの貯蔵建屋２Ａは放射性物質貯蔵施設１Ｆの貯蔵建屋２Ａと実質的に同じ構成を有しており、放射性物質貯蔵施設１Ｇの貯蔵建屋２０Ａは放射性物質貯蔵施設１Ｆの貯蔵建屋２０Ａと実質的に同じ構成を有している。放射性物質貯蔵施設１Ｇでは、モノレール（またはホイスト）３０が、貯蔵建屋２Ａ及び２０Ａの放射性物質受入れエリア９及び９Ａの天井に設けられたそれぞれの排気筒８の排気塔屋根３３に設置されていない。モノレール（またはホイスト）３０の替りに、門型クレーン３１が、貯蔵建屋２０Ａの外側で開閉扉１３Ａの側に設置されている。開閉扉１３Ａは貯蔵建屋２０Ａの開放部３２側の側壁に設けられる。
【００６９】
使用済燃料集合体を収納した貯蔵容器１７を積載したトレーラ１８が、門型クレーン３１の位置まで移動される。トレーラ１８に積載した貯蔵容器１７は、クレーン３１によって縦に起こされ、立った状態で、床に降ろされる。その後、貯蔵容器搬送車１９は、開いている開閉ドア１３Ａを通って貯蔵建屋２０Ａの搬入出エリア１０Ａ内に入り、さらに、容器搬送通路６Ａを移動して貯蔵容器１７を搬送する。このようにして、貯蔵容器１７が貯蔵建屋２０Ａ内の容器保管エリア４に貯蔵される。貯蔵容器搬送車１９により搬送される一部の貯蔵容器１７は、貯蔵建屋２Ａ内の搬入出エリア１０に貯蔵される（図１５参照）。
【００７０】
貯蔵建屋２０Ａの増設前で既設の貯蔵建屋２Ａに貯蔵容器１７を搬入するときにおいても、貯蔵建屋２０Ａの増設後に門型クレーン３１が貯蔵建屋２０Ａの外側で開閉扉１３Ａの側に設置されているように、貯蔵建屋２Ａの外側で開閉扉１３の側に設置された門型クレーン３１（図示せず）が用いられた。トレーラ１８に積載した貯蔵容器１７が、貯蔵建屋２Ａの外部において、門型クレーン３１によって床に降ろされ、貯蔵容器搬送車１９に載せられて開いている開閉扉１３を通して貯蔵建屋２Ａの搬入出エリア１０に搬入された。貯蔵建屋２０Ａの増設時においては、貯蔵建屋２Ａの側に設置されたその門型クレーン３１は、貯蔵建屋２０Ａの増設作業の邪魔になるので撤去される。このため、本実施例では、貯蔵建屋２０Ａの増設時において貯蔵建屋２Ａに貯蔵容器１７を搬入することができない。
【００７１】
本実施例は、実施例１で生じる各効果のうち「貯蔵建屋２０Ａの増設時に貯蔵建屋２Ａに貯蔵容器１７を搬入できる」という効果を除いて残りの各効果を得ることができる。
【符号の説明】
【００７２】
１，１Ａ，１Ｂ，１Ｃ，１Ｄ，１Ｅ，１Ｆ，１Ｇ…使用済燃料乾式貯蔵施設、２，２Ａ，２０，２０Ａ…貯蔵建屋、３，３Ａ…貯蔵エリア、４…容器保管エリア、５Ａ，５Ｂ…仕切り壁、６，６Ａ…容器搬送通路、７，１５…給気口、８…排気筒、８Ａ，１６…排気口、９，９Ａ…放射性物質受入れエリア、１０，１０Ａ…搬入出エリア、１１…監視室、１２，１２Ａ，１２Ｂ，１３，１３Ａ…開閉扉、１７…貯蔵容器、１８…トレーラ、１９…貯蔵容器搬送車、２３…敷地、２４…山、２５…連絡通路、２６…昇降機、２７…ステージ部、３０…モノレール、３２…開放部、３３…排気塔屋根。
【図１】
2014102228.tif 000003
【図２】
2014102228.tif 000004
【図３】
2014102228.tif 000005
【図４】
2014102228.tif 000006
【図５】
2014102228.tif 000007
【図６】
2014102228.tif 000008
【図７】
2014102228.tif 000009
【図８】
2014102228.tif 000010
【図９】
2014102228.tif 000011
【図１０】
2014102228.tif 000012
【図１１】
2014102228.tif 000013
【図１２】
2014102228.tif 000014
【図１３】
2014102228.tif 000015
【図１４】
2014102228.tif 000016
【図１５】
2014102228.tif 000017